(57)【要約】【課題】所望の温度に設定できるとともに、肌に触れた際、長時間に亘り冷感を持続させることができる冷感パッドを提供すること。【解決手段】袋状体内に冷却剤を収容した冷感パッドであって、前記冷却剤は、設定温度よりも高い融解温度の分子量を持つポリエチレングリコールに、調温剤と界面活性剤を添加させたことを特徴とする。  また前記調温剤は、エタノール、アセトアルデヒド、アルカノールアミド類、アミド類、アミン類、塩素化炭化水素、芳香族炭化水素、芳香族炭化水素、エステル、グリコールエステル、グリコールエーテルエステル類、ケトン類、有機酸類のうちいずれか一種、もしくは複数種混合して形成される。さらに、前記界面活性剤はＴｗｅｅｎ８０であることが望まれる。【選択図】図１
2015188746.tif 000002
【特許請求の範囲】
【請求項１】
袋状体内に冷却剤を収容した冷感パッドであって、前記冷却剤は、設定温度よりも高い融解温度の分子量を持つポリエチレングリコールに、調温剤と界面活性剤を添加させたことを特徴とする冷感パッド。
【請求項２】
前記調温剤は、エタノール、アセトアルデヒド、アルカノールアミド類、アミド類、アミン類、塩素化炭化水素、芳香族炭化水素、芳香族炭化水素、エステル、グリコールエステル、グリコールエーテルエステル類、ケトン類、有機酸類のうちいずれか一種、もしくは複数種混合して形成される請求項１記載の冷感パッド。
【請求項３】
前記界面活性剤はＴｗｅｅｎ８０である請求項１または２記載の冷感パッド。
【発明の詳細な説明】
【技術分野】
【０００１】  本発明は、所望の温度に設定でき、さらに肌に触れた際、長時間に亘り冷感を持続させることができる冷感パッドに関する。
【背景技術】
【０００２】  近日、人体に接した際、体温に応じて個体から液体に変化し、その際に必要な熱を人体から奪う冷却剤を収容している冷感パッドが開発されている。かかる冷感パッドは、冷蔵庫で冷却したり氷を使用したりしなくとも、簡便に、且つ効果的に体熱を吸収することが可能である。【０００３】  また、上述の冷却剤を用いた冷却具の従来技術として、冷却効果を維持した状態で継続的に使用することができる冷却具がある（例えば特許文献１参照）。【０００４】  上掲特許文献１の冷却具は、冷却剤を内包し、該冷却剤は２７℃から３２℃までの範囲内に融解点を有するポリエチレングリコールからなる。
【先行技術文献】
【特許文献】
【０００５】
【特許文献１】特開２０１３−５５９９８公報（特許請求の範囲等）
【発明の概要】
【発明が解決しようとする課題】
【０００６】  上掲特許文献１の冷却具における所定物質は、分子量１０００のポリエチレングリコールが全体質量の４０％以上１００％未満で、分子量１５００のポリエチレングリコールが全体質量の０より大きく６０％以下であり、分子量１０００のポリエチレングリコールおよび分子量１５００のポリエチレングリコールの質量和が全体質量の１００％となる様態で混合されている。また、分子量１０００のポリエチレングリコールが全体質量の５０％以上７０％以下で、分子量１５００のポリエチレングリコールが全体質量の３０％以上５０％以下であり、分子量１０００のポリエチレングリコールおよび分子量１５００のポリエチレングリコールの質量和が全体質量の１００％となる様態で混合されていることが開示されている。【０００７】  また所定物質は、２７℃から３２℃、及び２９℃から３１℃までの範囲内に融解点を有することが開示されている。【０００８】  しかしながら、分子量１０００のポリエチレングリコールは、融解温度が約３６℃であり、分子量１５００のポリエチレングリコールは、融解温度が約４７℃であることが公知とされている。そのため、分子量１０００のポリエチレングリコールと分子量１５００のポリエチレングリコールを混合させたとしても、所定物質を２７℃から３２℃、及び２９℃から３１℃までの範囲内に融解点を設定することは不可能であると推測される。【０００９】  そこで本発明の目的は上記問題点を解消して、所望の温度に設定できるとともに、肌に触れた際、長時間に亘り冷感を持続させることができる冷感パッドを提供することにある。
【課題を解決するための手段】
【００１０】  上記課題を解決するために、袋状体内に冷却剤を収容した冷感パッドであって、前記冷却剤は、設定温度よりも高い融解温度の分子量を持つポリエチレングリコールに、調温剤と界面活性剤を添加させたことを特徴とする。【００１１】  また前記調温剤は、エタノール、アセトアルデヒド、アルカノールアミド類、アミド類、アミン類、塩素化炭化水素、芳香族炭化水素、芳香族炭化水素、エステル、グリコールエステル、グリコールエーテルエステル類、ケトン類、有機酸類のうちいずれか一種、もしくは複数種混合して形成される。【００１２】  また、前記界面活性剤はＴｗｅｅｎ８０であることが望まれる。
【発明の効果】
【００１３】  本発明によれば、冷却剤は、設定温度よりも高い融解温度の分子量を持つポリエチレングリコールに、調温剤と界面活性剤を添加させたことにより、ポリエチレングリコールの融解温度よりも低い融解温度を実現できる。そのため所望の温度に設定でき、室温が高温に達する夏季においても融解せず、肌に触れた際、長時間に亘り冷感を持続させることが可能となる。
【図面の簡単な説明】
【００１４】
【図１】本発明の冷感パッドの断面図である。
【発明を実施するための形態】
【００１５】  本発明の冷感パッドは、所望の温度に設定できるとともに、肌に触れた際、長時間に亘り冷感を持続させることができことを特徴とする。
以下、本発明における冷感パッドの実施の形態を図１に基づいて説明する。
【００１６】  本発明の冷感パッド１は、袋状体１０の内部に冷却剤２を収容させたものであり、特に、前記冷却剤２は、所望の温度に設定できることを特徴とする。
【００１７】  袋状体１０は外側材１１、中側材１２、及び内側材１３との三層構造からなる。外側材１１は化繊、天然繊維、混紡繊維等、中側材１２はナイロン、内側材１３はポリ塩化ビニル（ＰＶＣ）素材で形成されている。特に、内側材１３をポリ塩化ビニルで形成することにより、冷却材２の外部への漏れを未然に防ぐことができる。また前記袋状体１０は、周囲や各区画の溶着部１４がホットメルト溶着剤にて熱溶着されている。
【００１８】  また特に、前記袋状体１０内に収容される記冷却剤２は、設定温度よりも高い融解温度の分子量を持つポリエチレングリコールに、調温剤と界面活性剤を添加させたことを特徴とする。
【００１９】  設定温度よりも高い融解温度の分子量を持つポリエチレングリコールとは、特に限定されるものではないが、例えば、分子量１０００のポリエチレングリコールが挙げられる。
【００２０】  前記ポリエチレングリコール（ＰＥＧ）は、エチレングリコールが重合した構造をもつ高分子化合物である。また分子量１０００のポリエチレングリコールは、融解温度が約３６℃であることが公知とされている。前記分子量１０００のポリエチレングリコールに調温剤と界面活性剤を添加させることにより、融解温度を約３６℃以下に設定することができる。
【００２１】  なお、設定温度よりも高い融解温度の分子量を持つポリエチレングリコールは、分子量１０００以上のポリエチレングリコール等が好適に使用することができる。かかるポリエチレングリコールに調温剤と界面活性剤の混合比率を調整することにより、冷却剤２を所望の温度に設定することができる。
【００２２】  調温剤は温度点を調整するもので、エタノール、アセトアルデヒド、アルカノールアミド類、アミド類、アミン類、塩素化炭化水素、芳香族炭化水素、芳香族炭化水素、エステル、グリコールエステル、グリコールエーテルエステル類、ケトン類、有機酸類のうちいずれか一種、もしくは複数種混合して形成される。
【００２３】  また、界面活性剤はＴｗｅｅｎ８０であることが望まれる。前記Ｔｗｅｅｎ８０（登録商標）は、ポリオキシエチレンソルビタンモノオレアートであり、非イオン系の界面活性剤である。なお、前記界面活性剤はＴｗｅｅｎ８０に限定されるものではなく、汎用の界面活性剤を好適に用いることもできる。
【００２４】  上述の構成とすることで、本発明の冷却剤は、設定温度よりも高い融解温度の分子量を持つポリエチレングリコールに、調温剤と界面活性剤を添加させたことにより、ポリエチレングリコールの融解温度よりも低い融解温度を実現できる。
【００２５】  そのため、冷却材の融解温度を任意に設定することができ、室温が高温に達する夏季や使用する場所、また使用目的においてもせず、肌に触れた際において、個体の状態から液体の状態に変化し、その際に融解熱を人体から奪って接触部分を冷却することができる。
【００２６】  また、本考案の冷感パッド１は枕、敷布団、ベッドパッド等の寝具はもとより、熱を発するＯＡ機器等の下敷きとしても好適に使用することができる。
【符号の説明】
【００２７】１    冷感パッド
２    冷却剤
１０  袋状体
１１  外側材
１２  中側材
１３  内側剤
１４  溶着部
【図１】
2015188746.tif 000003